(57)【要約】【課題】表層部の焼成温度を調整しながら、表面のみをガラス化し、内部をガラス化しないように焼成する必要があるために、温度調整が極めて困難である。【解決手段】液体分子の固有周波数に略一致する分子振動スペクトルを有するエネルギーを発生する塊体を焼成した後に、焼成に伴ってガス化する不純物を含み、前記塊体と異なる成分からなる釉薬を前記塊体に塗布して表皮層を形成した後に前記塊体の焼成温度よりも高い温度で焼成する。【選択図】            図１
2004209388.tif 000002
【特許請求の範囲】
【請求項１】
液体分子の固有周波数に略一致する分子振動スペクトルを有するエネルギーを発生する塊体を焼成した後に、焼成に伴ってガス化する不純物を含み、前記塊体と異なる成分からなる釉薬を前記塊体に塗布して表皮層を形成した後に前記塊体の焼成温度よりも高い温度で焼成されてなる液質改良剤。
【請求項２】
塊体と、該塊体と異なる成分からなると共に、焼成に伴ってガス化する不純物を含み、その塊体の表面に塗布される釉薬からなる表皮層とを備え、前記塊体及び表皮層の双方は、同時に焼成されてなると共に、前記表皮層は、液質の改良される液体分子の固有周波数に共振する周波数のエネルギーを発生する液質改良剤。
【請求項３】
前記塊体又は表皮層のうちの少なくとも一方は、海水の成分が含まれていることを特徴とする請求項１及び２記載の液質改良剤。
【請求項４】
前記表皮層は、ミネラル成分及び遠赤外発生材を少なくとも含み、表面が多孔性に焼成形成されていることを特徴とする請求項１及び２記載の液質改良剤。
【請求項５】
前記表皮層に形成される多孔は、前記焼成に伴って発生するガスによって形成されることを特徴とする請求項４記載の液質改良剤。
【請求項６】
塊体の表面に、該塊体と異なる成分からなり、かつ焼成に伴ってガス化する不純物を含み、焼成、形成されてなる表皮層から、液体分子の固有周波数に略一致する分子振動スペクトルを有するエネルギーを発生する液質改良剤に、前記液体分子が接することによって、前記エネルギーを液質改良材から受け取って改質される液体。
【請求項７】
水分子の固有周波数に略一致する分子振動スペクトルを有するエネルギーを液質改良剤を水中に入れ、該液質改良剤から発生したエネルギーを共振を利用して前記水分子に付与し、それに伴って発生する水の還元力によって水中に含まれる水和物質を構成する最外側の水の層から還元し、該水和物質を構成する蛋白質を微生物によって分解せしめる水の改質装置。
【請求項８】
水分子の固有周波数に略一致する分子振動スペクトルを有するエネルギーを発する液質改良剤を水中に入れ、該液質改良剤によって発生したエネルギーを共振を利用して前記水分子に付与し、次の２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生せしめた炭酸を含む水。
【請求項９】
水分子の固有周波数に略一致する分子振動スペクトルを有するエネルギーを液質改善剤によって発生せしめ、その発生したエネルギーを前記水分子に付与し、２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生した炭酸を含む水で、少なくともセメント、砂を練り合わせて作られてなるコンクリート。
【請求項１０】
水の分子の持つ固有の分子振動スペクトルに一致するエネルギーを発生する液質改良剤を筒状体に収納し、その筒状体を給水ライン中に介装し、この筒状体の中を通過した水を小便器に流し込むことによって小便器への尿石の付着を防止する小便器尿石付着防止装置。
【請求項１１】
前記液質改良剤は、セラミック製の塊体と、該セラミック製の塊体の表面に釉薬が塗布され、焼成、形成された多孔性の表皮層とからなる請求項１０記載の小便器尿石付着防止装置。
【請求項１２】
水の分子の持つ固有の分子振動スペクトルに一致するエネルギーを発生する液質改良剤を筒状体に収納し、その筒状体を給水ライン中に介装し、この筒状体の中を通過した水を鉄管内に流し込むことによって
2004209388.tif 000020
（１）２Ｆｅ２Ｏ３＋２Ｈ＋→２ＦｅＯ・Ｆｅ２Ｏ２＋Ｈ２Ｏ
（２Ｆｅ３Ｏ４）
（２）Ｆｅ２Ｏ３＋２Ｈ＋→２ＦｅＯ＋Ｈ２Ｏ
によって鉄管の赤錆防止方法。
【請求項１３】
水分子の持つ固有の分子振動スペクトルに一致するエネルギーを発生する液質改良剤が筒状体に収納され、かつその筒状体が給水ライン中に直列に介装されてなり、この筒状体の中に水を通過せしめて、前記液質改良剤の表面にその水を接触させ、接触した水に還元力を持たせ、この水をヘドロを含む水環境に流し込み、水中でヘドロ発生元物質を囲む水分子の層を薄くし、微生物により分解する水環境状態変換システム。
【請求項１４】
前記液質改良剤は、セラミック製の塊体と、該セラミック製の塊体の表面に釉薬が塗布され、焼成、形成された多孔性の表皮層とからなる請求項１３記載の水環境状態変換システム。
【請求項１５】
前記液質改良剤の表面に接触させられた水は、前記表皮層からエネルギーの供給を受けて反応式
2004209388.tif 000021
によって、水和電子を発生せしめ、前記水に還元力が付与することを特徴とする請求項１３記載の水環境状態変換システム。
【請求項１６】
水分子の持つ固有の分子振動スペクトルに一致するエネルギーを発生する液質改良剤が筒状体に収納され、かつその筒状体が給液ライン中に直列に介装されてなり、この筒状体の中に水を通過せしめて、前記液質改良剤の表面にその水を接触させ、接触した水に還元力を持たせ、この水を大気中に拡散蒸発せしめる空気環境状態変換装置。
【請求項１７】
前記液質改良剤は、セラミック製の塊体と、該セラミック製の塊体の表面に釉薬が塗布され、焼成、形成された多孔性の表皮層とからなる請求項１６記載の空気環境状態変換装置。
【請求項１８】
前記液質改良剤の表面に接触させられた水は、建築物内部の大気中に自然に拡散蒸発せしめられることを特徴とする請求項１６及び１７記載の空気環境状態変換装置。
【請求項１９】
前記液質改良剤の表面に接触させられた水は、建築物内部の大気中にミスト発生器によって強制拡散せしめられることを特徴とする請求項１６及び１７記載の空気環境状態変換装置。
【請求項２０】
塊体と、該塊体と異なる成分からなると共に、焼成に伴ってガス化する不純物を含み、その塊体の表面に塗布される釉薬からなる表皮層とを備え、前記表皮層から水分子の固有周波数に共振する周波数のエネルギーを発生する液質改良剤の表面に水を接触せしめ、反応式
2004209388.tif 000022
によって、水和電子を発生させ、前記水に還元力を付与し、その水を皮膚に与えることを特徴とする医療システム。
【発明の詳細な説明】
【０００１】
【発明の属する技術分野】
本発明は、セラミックを利用し、水（液体）の持つ酸化還元電位の低減等により水の健全化を図る液質改良剤、それによって改質された液体、水、コンクリート、小便器清掃装置、水環境状態変換装置、空気環境状態変換装置、水の改質方法及び医療システムに関する。
【０００２】
【従来の技術】
従来、この種のセラミックを使用した水の液質改良剤としては、例えば特開平１１−１０１４０号公報に示されるようなものが考えられている。
すなわち、この液質改良剤は、セラミック粉体を造粒化した球状の核部と、その核部の周囲を覆うと共に、釉薬で形成された基層部と、さらにその表皮部の周囲を覆うことによって、基層部が物体に接触し、破損、摩耗等を起こすことを防止するためにガラス状化された表層部とからなっている。
【０００３】
【発明が解決しようとする課題】
しかしながら、上記のものにあって、その表層部は、核部の周囲を覆うように配置され、その焼成温度を調整しながら、表面のみをガラス化し、内部をガラス化しないように焼成する必要があるために、温度調整が極めて困難であると言わざるを得ない。
すなわち、焼成物は長時間の間、高温に維持された炉の中に置かれて焼成されるために、焼成物の温度は如何なる部分であっても均一に維持されるから、表面の温度を内側の温度より高くなるように制御することは極めて困難である。
【０００４】
この発明は、上記問題点に鑑みてなされたもので、焼成が容易な液質改良剤、それによって改質された液体、水、コンクリート、水環境状態変換装置、空気環境状態変換装置及び医療システムを得ること目的とする。
【０００５】
【課題を解決するための手段】
この発明は、液体分子の固有周波数に略一致する分子振動スペクトルを有するエネルギーを発生する塊体を焼成した後に、焼成に伴ってガス化する不純物を含み、前記塊体と異なる成分からなる釉薬を前記塊体に塗布して表皮層を形成した後に前記塊体の焼成温度よりも高い温度で焼成されてなる液質改良剤に関し、性能が向上した液質改良剤を得ることにある。
【０００６】
また第２の発明は、塊体と、該塊体と異なる成分からなると共に、焼成に伴ってガス化する不純物を含み、その塊体の表面に塗布される釉薬からなる表皮層とを備え、前記塊体及び表皮層は、同時に焼成されてなると共に、前記表皮層は、液質を改質する液体分子の固有周波数に共振する周波数のエネルギーを発生する液質改良剤に関し、易く、性能の良い液質改良剤を得ることにある。
【０００７】
また、前記塊体は、海水の成分が含まれていることによって、さらに液質改良剤の性能を向上させることが出来る。
【０００８】
また、前記表皮層は、ミネラル成分及び遠赤外発生剤を少なくとも含み、表面が多孔性に焼成形成されていることによって、さらに液質改良剤の性能を向上できる。
【０００９】
この発明は、塊体の表面に、該塊体と異なる成分からなり、かつ焼成に伴ってガス化する不純物を含み、焼成されてなる釉薬の表皮層から液体分子の固有周波数に略一致する分子振動スペクトルを有するエネルギーを発生する液質改善剤に接することによって改質される液体に関し、液体の還元性を高くすることが出来る。
【００１０】
この発明は、水分子の固有周波数に略一致する分子振動スペクトルを有するエネルギーを液質改善剤によって発生せしめ、その発生したエネルギーを前記水分子に付与し、それに伴って発生する水の還元力によって水中に含まれる水和物質を構成する最外側の水の層から還元し、該水和物質を構成する蛋白質を微生物によって分解する水の改質方法に関し、排水等に含まれる蛋白質等の水和物質を労率良く解消できる。
【００１１】
この発明は、通過する水の分子の持つ固有の分子振動スペクトルに一致する周波数のエネルギーを発生するセラミック製の第１焼成体と、該第１焼成体から発せられるエネルギーを補助するエネルギーを発生し、表面が多孔性に焼成された第２焼成体とを含む液質改良剤本体が、通過する水の通路を塞ぐように筒状体に収納され、かつ給液ライン中に介装されてなり、前記液質改良剤本体を通過した水を給水する水環境状態変換装置に関し、還元力の強い水を容易に得られる装置を得ることが出来る。
【００１２】
この発明は、水分子の固有周波数に略一致する分子振動スペクトルを有するエネルギーを液質改善剤によって発生せしめ、その発生したエネルギーを前記水分子に付与し、２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生した炭酸を含む水に関し、簡単に炭酸の入った水を得られる。
【００１３】
また、この発明は、水分子の固有周波数に略一致する分子振動スペクトルを有するエネルギーを液質改善剤によって発生せしめ、その発生したエネルギーを前記水分子に付与し、２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生した炭酸を含む水で、少なくともセメント、砂を練り合わせて作られてなるコンクリートに関し、短時間、かつ高度の強いコンクリートを容易に得ることが出来る。
【００１４】
また、この発明は、前記水の分子の持つ固有の分子振動スペクトルに一致する周波数のエネルギーを発生する塊体と、該塊体から発せられるエネルギーを補助するエネルギーを発生する液質改良剤が、筒状体に収納され、かつその筒状体が給液ライン中に介装されてなり、この筒状体の中を通過した水を小便器に流し込むことによって小便器への尿石の付着を低減する小便器清掃装置に関し、小便器の清掃を低減できるとと共に、悪臭も低減することが出来る。
【００１５】
また、この発明は、水の分子の持つ固有の分子振動スペクトルに一致する周波数のエネルギーを発生する塊体と、該塊体から発せられるエネルギーを補助するエネルギーを発生し、表面が多孔性に焼成された釉薬からなる表皮層とを含む液質改良剤本体が、筒状体に収納され、かつその筒状体が給液ライン中に直列に介装されてなり、この筒状体の前記液質改良剤本体の表面に前記水が接触するように水を通過し、この通過した水を還元剤として使用するヘドロを含む水環境に流し込む水環境状態変換装置に関し、排水路に溜まりやすいヘドロを容易に解消できる。
【００１６】
また、この発明は、分子の持つ固有の分子振動スペクトルに一致する周波数のエネルギーを発生する塊体と、該塊体から発せられるエネルギーを補助するエネルギーを発生し、表面が多孔性に焼成された釉薬からなる表皮層とを含む液質改良剤本体が、筒状体に収納され、かつその筒状体が給液ライン中に直列的な介装されてなり、前記液質改良剤本体を通過した水を大気中に拡散蒸発せしめる空気環境状態変換装置に関し、大気中の臭いを容易に取ることが出来る。
【００１７】
なお、前記水は、建築物内部の大気中に自然に拡散蒸発せしめられることによって、装置を必要とせずに簡単に大気中の臭いを容易に取ることが出来る。
【００１８】
また前記水は、建築物内部の大気中にミスト発生器によって強制拡散せしめられることによって、短時間に広い範囲の空気の臭いを取ることが出来る。
【００１９】
また前記水は、前記表皮層からエネルギーの供給を受けて反応式
2004209388.tif 000003
によって、水和電子を発生し、還元力が付与されるので、還元力も強くなる。
【００２０】
【発明の実施の形態】
以下に、この発明の実施の形態を図に基づいて説明する。
【００２１】
実施の形態１
まず、この発明に係る  液質改良剤１は、核部２とそれを取り巻く表皮部３とから構成されており、それを図１に基づいて以下に説明する。
核部２は、ＳｉＯ２，Ａｌ２Ｏ３，ＴｉＯ２，ＺｒＯ２等のパウダー状のセラミックと、長さの短い食物繊維性の廃棄物とを、おおよそ重量％で１００：１の割合で混合して練り込んだ後に、これを略直径１０ｍｍの球状の造粒物にし、さらにこれを乾燥した後に略８００℃の高温炉に入れて素焼きにしたものである。その結果、この核部２のセラミックは、食物繊維性の廃棄物の部分が灰化して多孔質になり、軽石状に軽量化される。
なお、この軽量化の度合いは、遠赤外線の発生量との関係で適宜選択設定される。また、軽量化を必要としない場合には、前記パウダー状のセラミックの単独物質を練り込んだものを球状の造粒物にして焼成してもよい。
【００２２】
次に、この焼成されたセラミックの核部２から発せられる遠赤外線によって、その周囲に存在する水に還元力が発生するメカニズムを以下に説明する。
【００２３】
分子を構成している原子は、通常はそれぞれの平衡点の近傍で振動しているが、原子や分子内電子が励起される、また外部エネルギーが供給されることによって各種のエネルギー状態に遷移する。そして、この分子の内部エネルギーには、回転状態、振動状態、電子状態のエネルギーがあるが、これらの状態は量子化されていて基底状態と励起状態のエネルギー間隔は先の順に大きくなる。これらの状態の励起によって観測されるスペクトル、すなわち回転スペクトルはマイクロ波領域、振動スペクトルは赤外線波領域、電子スペクトルは可視〜紫外線波領域に現れる。多原子分子では、振動状態や回転状態が各電子状態に付随しているので、これらが組み合わされて発生する一つの電子励起状態はいくつかの振動準位と回転準位との間に幅をもって分布するが、回転状態のスペクトルは溶液や液体、固体にはない。
【００２４】
そして、分子や結晶などの振動運動は、それらのもつ振動自由度に等しい個数の正規振動の集まりとして記述される。また、分子内振動における結合の伸縮の力の定数は、変角の力の定数よりも一般にはるかに大きいので、双方の運動は比較的よく分離して起こり、正規振動の内容は主に伸縮振動ないし変角振動と定義される。従って、伸縮振動による振動と変角振動による振動が各々のスペクトルで認識されることになる。そして、振動を生起すると同時に、同じ周波数の振動の吸収を示す。
【００２５】
またイオン結晶は、光に対して透明な領域を挟んで長波長側（赤外域）と短波長側に結晶固有のエネルギー吸収を示す。赤外吸収は格子振動（伸縮振動と変角振動）によるものであるが、短波長側の吸収は、Ｘ線領域までおよぶ。これは、連続スペクトルで、結晶を構成する原子のエネルギー準位に基づく充満帯から、電子によって占められていない伝導帯への電子遷移によって起こるものである（基礎吸収）。
【００２６】
一方、水は、単原子酸素陰イオンＯ２−に対して中性となる以上のプロトンがついて出来た多原子陽イオンＨ３Ｏ＋として存在するが、実際には水和してその周りに水の分子がついた状態、すなわち（Ｈ３Ｏ＋）ｍ（Ｈ２Ｏ）ｎとなっているが、水の分子のプロトンは、一つの酸素から他の酸素へ急速に泳動しているので（その結果、Ｈ３Ｏ＋の寿命は１０−１２ｓ）、多原子陽イオンＨ３Ｏ＋はＨ２ＯとＨ＋に解離する。
【００２７】
すなわち、この多原子陽イオンＨ３Ｏ＋状態を示す電荷移動反応は、単に電荷だけが移動する過程と、電荷移動に伴って二次イオンが解離する過程とがあり、その各々に共振過程と非共振過程が存在し、この共振過程は、水和した水（Ｈ３Ｏ＋）ｍ（Ｈ２Ｏ）ｎが前記液質改良剤１の表面に接触することによって行われる。
そして、水和した水（Ｈ３Ｏ＋）ｍ（Ｈ２Ｏ）ｎの電子は、強い還元性を有し、還元電位が−２．７ｖ程度となり、また短寿命の化学種となり、水和していない部分の水Ｈ２Ｏは水和電子に還元される。
以下にその反応を示す。
【００２８】
【化１】
2004209388.tif 000004
【００２９】
したがって、セラミックを構成する親水性の岩石の結晶において、加熱、光の照射等によって励起された内部の振動エネルギーは、励起移動、特に共振伝達により水の分子および多原子陽イオンＨ３Ｏ＋に伝達して電子を励起し、その後に起こる励起状態から基底状態への遷移、および分解により派生する水和電子によって、還元力の強い水質の水を短時間に、かつ簡単な構造で造ることができる（
【化１】参照）。
【００３０】
次に核部２の表面全体を覆う、厚み１００ミクロン程度の表皮部３について説明する。
この表皮部３は、パウダー状の長石（ＳｒＯ，ＴｉＯ２，ＣｏＯ，ＦｅＯ，Ｆｅ２Ｏ３等を成分とする）を主成分（全体のうち８０〜９５重量％を占める）とし、その振動エネルギーの内で最大エネルギーを示す周波数のものが赤外線の波長領域に存在すると共に、この最大の振動エネルギーは、紳縮振動又は変角振動の特性を有する。また、その最大となる振動エネルギーの周波数は、水分子の吸収スペクトルの内で、赤外線の波長領域において大きな吸収帯をなす帯域と同一である。
また、この表皮部３は、前記主成分のものにパウダー状のミネラル（鉄、銅等）、炭素微粒子及び塩分（海水から得られる塩の成分と同一の成分）を副成分（全体のうち５〜２０重量％を占める）とする液状の配合物、すなわち釉薬が前記核部２の周囲全体に塗布され、その後高温炉内に移され、凡そ１１８０℃〜１２１０℃で溶解せしめる（本焼き）。
【００３１】
その後、さらに炉内温度を１３００℃まで上昇せしめることによって、釉薬にするために水に溶解されたパウダー状にされた長石に混入された前記微粉末状の炭素物質、例えば８００メッシュ程度の大きさを有し、液体に混入されたときにブラウン運動によって液中で浮遊可能な状態を維持できる大きさの炭素物質及び長石に含まれた微量の水分等の不純物がガス化し、このガスの圧力が高まると、そのガスはそのガラス状に溶解した表皮部３の表面を突き破り、大気中に放出される。
そして、その放出されたガスの通り道及び噴出口は、その噴出時の形状のまま固化される。その結果、前記表皮部３の表面は、無数の微細なラッパ状の孔（凹状の孔）が無数ランダムに散乱した状態に形成され、表皮部３は、目に見えない微細なラッパ状に開口した孔を有する多孔質となる。
【００３２】
そのために、この表皮部３の表面を電子顕微鏡で見ると、孔はラッパ状に開口し、その開口の直径が数ミクロン程度の大きさのものが無数に、かつランダムに散在した状態になり、液質改良剤１の表面積が拡大される。そのために、この発明に係る液質改良剤１が水中に位置せしめられると、水和した水（Ｈ３Ｏ＋）ｍ（Ｈ２Ｏ）ｎが直接接触する表皮部３の表面積が、多孔質でない場合に比べて、数十倍に拡大される。そして、釉薬によって形成される表皮部３の表面の分子の振動エネルギーが接触した水（Ｈ３Ｏ＋）ｍ（Ｈ２Ｏ）ｎに十分供給されるよう
になり、
【化１】のような化学反応が起こる。
【００３３】
なお、前記液質改良剤１の表皮部３は、核部２からエネルギーの供給を受けて、共鳴すると共に、その表皮部３は外部からの熱、光等のエネルギーの供給を受けて、そのエネルギーの中の一部の成分に共鳴することによって波長３ミクロン〜１２ミクロンまでの波長等の遠赤外線が、特に強く放射される。
そのために、前記液質改良剤１の２０℃における遠赤外線放射率は、表１に示すように実測値で、波長３ミクロン〜８ミクロンの波長が９８％、波長８ミクロン〜１２ミクロンの波長が８４％と測定される。これは、水の活性化に最大限の影響力を及ぼす能力として９０％以上の、従来にない高能力を維持していることが証明されている（三重県窯業試験所での測定結果）。
【００３４】
また、表２乃至表４に示すように前記液質改良剤１によって改質され、クラスタが小さくなっていることが示されている。すなわち、活性化されていない水の共振周波数が１２４．１Ｈｚであるのに対して、活性化された水の共振周波数が６３．９Ｈｚとなり、共振周波数がおおよそ１／２になっている。このことは、活性化された水のクラスタが、普通の水（活性化されていない水）のクラスタに対して１／２になっていることを示している。
なお、このことはこの実施の形態に限らず、この明細書における他の実施の形態における液質改良剤１についても同様のことが言えるものである
【００３５】
なお、上記の説明において、分子は内部エネルギーとして振動による内部エネルギーをもっていると同時に、それと同じ振動エネルギーを吸収する。その波の領域は、赤外領域から可視紫外領域迄であり、特に強い領域は赤外線の領域となる。分子が光を吸収する為には、基底状態と励起状態とのエネルギー差と光の波長との間に次の振動数条件が満たされなければならない。
ΔＥ＝ＥＪ−Ｅｏ＝ｈν＝ｈｃ／λ
Ｅ０：基底状態のエネルギー
ＥＪ：Ｊ番目の励起状態のエネルギー
ν：光の振動数
λ：光の波長
分子が光を吸収すると一般に結合性分子オービタルにある電子のうちの一つが反結合性分子オービタルに移るので、分子の化学結合様式は、基底状態の分子の場合に比べて大きく変わる。
【００３６】
一方、粘土鉱物や岩石は、その固有の酸化物等の組成によって独自の分子運動を行なっており、赤外線分光法等により、その岩石の組成による固有の振動スペクトルを観測できる。
【００３７】
このため、選択的に特定の鉱物や岩石の成分を調合して焼成することにより、任意の振動スペクトルを持つ反応体を形成することができ、この振動スペクトルを水に固有の吸収スペクトルに等しくすることにより、反応体において励起する内部振動の振動エネルギーを、励起移動、特に共鳴伝達により水分子に伝達して電子を励起し、その後に起こる励起状態から基底状態への遷移によって、水による腐食を防止するものに変えることができる。
【００３８】
実施の形態２．
実施の形態１．においては、液質改良剤１は、核部２を焼成した後に表皮部３を焼成したが、この実施の形態においては、ＳｉＯ２，Ａｌ２Ｏ３，ＴｉＯ２，ＺｒＯ２等のパウダー状のセラミックと、寸法の短い食物繊維性の廃棄物とを、重量％で１００：３の割合で混合して練り込んだ後に、直径１０ｍｍの球状の造粒物にして核部２を形成し、それを乾燥した後に、その表面全体に釉薬を塗布することによって表皮部３を形成し、その後およそ１３００℃の高温炉に入れて同時に焼成する。
【００３９】
その結果、表皮部３には実施の形態１．で述べた    孔と同等の孔が、表皮部３に含まれる不純物のガス発生によって無数に穿設される。
またその一方で、核部２内に練り込まれた食物繊維性の廃棄物の灰化に伴うガスの多量放出によって、多くの個所からガスが外部に向かって放出される。それによって、表皮部３の表面には実施の形態１に示したものに比べて孔径の大きな孔が穿設されると共に、その孔の深さが表皮部３を貫通して核部２の深部にまで達するものが多数発生する。そして、その孔に表皮部３を形成する釉薬が流れ込むので、全体として軽量で表面積のさらに大きな液質改良剤１が得られる。
【００４０】
この手法は、焼成が一度で済むので、製作コストの安いものを多量に必要とする場合に向く手法である。なお、これも軽量化の度合いは、遠赤外線の発生量との関係で適宜選択される。
また、前記核部２内に混入される食物繊維として細く、短い繊維を用いずに、太く、短い繊維を用いることによって、これが核部２内部で灰化されたときに核部２内に深く、径の大きな孔が形成され、釉薬が核部２の奥深くまで流れ込むので、１つ当たりの液質改良剤１の、水（Ｈ３Ｏ＋）ｍ（Ｈ２Ｏ）ｎに接する表面積が格段に大きくなり、液質改良剤１の単位体積当たりの表皮部３の表面積を大きくすることが可能になる。
【００４１】
また、上記の実施の形態における核部２を、ＳｉＯ２，Ａｌ２Ｏ３，ＴｉＯ２，ＺｒＯ２等のパウダー状のセラミックを用いて作らず、廉価な陶土を使用して作ることによって、上記の如き遠赤外線を発生させる機能を損なうことなく、さらなるコストダウンを図ることができる。すなわち、前記液質改良剤１は、水分と接することによってエネルギー伝達を行うので、核部２の発揮する機能よりも表皮部３の発揮する機能の方が大きいと言うことができる。
なお、この実施の形態における液質改良剤１の性能も実施の形態１．において示した実測値と同等である。
【００４２】
実施の形態３
この実施の形態（図２（Ａ），（Ｂ）参照）は、上記における球状の液質改良剤１に替えて、液質改良剤１の形状を円板状に形成したもの（図中、符号１０で示す）である。この円板状の液質改良剤１０は、ＳｉＯ２，Ａｌ２Ｏ３，ＴｉＯ２，ＺｒＯ２等のパウダー状のセラミックと、長さの短い食物繊維性の廃棄物とを、おおよそ重量％で１０：１の割合で混合して練り込んだ後に、直径が後述の円筒４の内径よりも若干小さ目になる程度の円柱状に押し出し成形した後に、それを厚さ２ｍｍの板状に輪切りにカットして核部１１を形成し、それを乾燥した後に、その表面全体に釉薬を塗布することによって表皮部（実施の形態１及び２における表皮部３と実質同じ）１２を形成し、その後およそ１３００℃の高温炉に入れて焼成する。
【００４３】
その結果、表皮部１２には実施の形態１および２で述べた    孔と同等の孔１３が、表皮部１２に含まれる不純物のガス発生によって無数に穿設される。
またその一方で、核部１１内に練り込まれた食物繊維性の廃棄物の灰化に伴うガスの多量放出によって、多くの個所からガスが外部に向かって放出される。それによって、液質改良剤１の表面には実施の形態１のものに比べて孔径の大きな孔１４が穿設されると共に、その孔１４の深さが核部１１の深部にまで達するもの、及び一方の面から他方の面に貫通するものが多数発生する。そして、その孔１４に表皮部１２を形成する釉薬が流れ込むので、全体としては円板状の軽石に釉薬が塗布され、焼成されたように見える。
【００４４】
このように、液質改良剤１０を円板状に形成することによって、円筒４内に整列配置できるので長さを短く出来る。また、形状が円板状であるために、後述する円筒４内に液質改良剤１０を格納する時に球状のものは、転がして入れられるのに対して、所定の形状に配列した後に一度に入れられるので、円板状の液質改良剤１０が壊れることがなく、極めて扱い易い。また薄いので焼成時に熱の全体への回りが早く、均一であるので、焼成時間が少なく済む。
また、液質改良剤１が球状のものは、球の中心部に食物繊維性の廃棄物の灰化物が残った場合、孔径が細く、また長いために外に出難い場合が発生するが、板状のものは、板厚が薄く、また孔も貫通しているものが多いので、灰化物が出やすく、また全体への熱の回りが極めて良く、焼成時間が少なくて済む。また、球状のものに比べて孔１４が浅いので、釉薬が隅々まで入り込み易いので、品質の向上が可能になる。
【００４５】
以下に、上記で説明した本発明による液質改良剤１による液体の利用に関しての説明を行う。
【００４６】
実施の形態４．
この実施の形態は、液体である生水に適応したものである。
この種の水も、多原子陽イオンＨ２Ｏ＋（オキソニウムと呼ぶ）として存在する。これは、単原子酸素陰イオンＯ２−にプロトンがついて出来たものである。水の中では、すべてのプロトンは一つの酸素から他の酸素へ急速に泳動し、水の中の個々のＨ３Ｏ＋の寿命は１０−１２ｓである。多原子陽イオンＨ２Ｏ＋は、水和して（Ｈ３Ｏ＋）ｍ（Ｈ２Ｏ）ｎとなっているが、電荷移動反応によりオキソニウムイオンＨ３Ｏ＋はＨ２ＯとＨ＋に解離する。この解離により派生する水和電子は、還元電位が−２．５Ｖ程度の強い還元剤であり、水分子Ｈ２ＯをＨ２＋と２ＯＨ−とに還元する。
【００４７】
また一方で、各種の鉱石は、その成分に起因した振動スペクトルを持つことはよく知られている。この鉱石の振動スペクトルが水の振動スペクトルに等しければ双方の振動は、共鳴する。親水性の岩石は、その結晶の内部振動に起因する振動スペクトルが水分子の吸収スペクトルに相応するものである。すなわち、双方のスペクトルが共鳴することによって岩石の有するエネルギーが高効率で水分子に伝達されることになる。
【００４８】
従って、水道水等の生水が、この親水性の岩石（この発明における液質改良剤１に相当する）に接触すると、岩石の内部振動による振動エネルギーが、励起移動、特に共鳴伝達によって水分子及びオキソニウムに伝達されて水分子を励起し、その後に起こる水分子の励起状態から基底状態への遷移、及び分解によって水和電子が派生し、この水和電子により還元力の強い水質の水が作られる。
このことは、前述の如く前記液質改良剤１の表皮部３によって、生水が活性化され、水の中に含まれる活性化された酸素、すなわち酸素イオンＯ−の量が増大することを意味している。
【００４９】
なお、上記の如く、親水性の岩石の表面への生水の接触を短時間当たり多く行わせる方法としては、例えば後述の実施の形態１又は２に示すように球状の液質改良剤１を図３に示すように、両端開口の円筒４（長さＬ、内径Ｍ）内に収納して液質改良装置８を構成し、これを水道管７ａ、７ｂの途中に介装させ、使用する水を強制的に接触させることが有効である。このとき、当然ながら水の流速はなるべく遅くした方が接触時間を多く確保できるので、効果的である。
なお、符号５ａ，５ｂは円筒４から液質改良剤１が脱出しないように両端から押さえるために複数の孔が設けられた透水性のステンレス円板で、大径の貫通孔５ａａが複数も受けられたものである。また符号６は目の細かい布製のフィルタで、液質改良剤１が破損した場合に、破片がこの円筒４から離脱しないように液質改良剤１と、下流側のセラミック円板５ｂとの間に介装されている。そして、水道水は矢印Ａ方向から矢印Ｂ方向に流れる。
【００５０】
このようにして得られた水に含まれる一般細菌、大腸菌、硝酸性窒素及び亜硝酸性窒素、塩素イオン、有機物等、色度、濁度が表５に示される値から表６に示される値に変化し、水質が改良されたことが証明されている。
また、前記液質改良剤１の作用によって得られる活性化された水は、表７に示す試験データのように高性能であることが示されている。すなわち
（１）マイナスイオン値が２３２と極めて高いレベルでイオンされ、クラスタが小さくなっている。
（２）小生が作成したものの内の一般釉薬も、また一般釉薬よりも鉄分の多い赤釉薬も共に、抗菌能力がきわめて高い。
（３）小生が作成する液質改良剤１の核部２（日本ｃｅｒａｍｉｃ）も、一般釉薬も、また鉄分の多い赤釉薬も共に、防射率がきわめて高く、エネルギー放出が高効率であることが示されている。
（４）ｐＨ値も一般に比べてアルカリ度が高い。
【００５１】
また、この表７に示されることから次のことが言える。
（１）前記液質改良剤１の作用によって得られた活性化された水が、水蒸気となり大気中に蒸発して、空気中に含まれることによって結果として空気が還元力を有するようになるので、私たちの周囲に存在する、例えば酸化された金属等を還元する、又は従来よりも酸化される速度を遅する働きをする。
これによって、酸化されやすい金属は、少なくとも酸化の速度が遅くなり、金属色が長く保たれる。また、電気製品のうちのスイッチ等の接点金属の酸化を防止できるので、スイッチが長期間不使用であっても酸化膜の発生を防止できるようになり、電力ロスを防止できる。強いては、この活性化された水を水蒸気として含む空気の環境下では、接点の酸化膜発生による不具合を考慮した高価なスイッチ等が必要でなくなる。
（２）前記液質改良剤１の作用によって得られる活性化された水が、水蒸気となり大気中に蒸発して、空気中に含まれることによって空気が中和力を有し、大気中に含まれる酸性物質を中和する働きをする。
（３）大気中に飛散される細菌に作用して、その細菌の作用を抑制して病気の空気伝染の防止が可能になる。
【００５２】
実施の形態５．
この実施の形態は、図４に示すようにして水道管７ａからの水を液質改良装置８によって活性化された水にし、それを圧縮機２０で圧縮し、畜舎２１等の室内の天井に設置された複数のノズル２２から、下方にいる家畜に向けて噴霧する。このように、液質改良剤１の作用によって得られる活性化された水を、畜舎２１等の内部に噴霧し、大気中に飛散させることによって、外部から空気伝染してくる細菌の働きを抑制する。また大気中に飛散させることによって、噴霧された水滴は空気中に均一に広がり、また滞空時間も多くなるので家畜の体、特に皮膚全体に着きやすくなるので、不衛生な畜舎２１等の内部に発生した細菌の働きも抑制する。それによって、家畜は病気にかかりずらくなる。
【００５３】
実施の形態６．
この実施の形態は、活性化された水を、畜舎２１等の内部にノズル２２から噴霧したが、図５に示すように水道管７ａからの水を液質改良装置８によって活性化し、その活性化された水をタンク２３に流し込む。タンク２３内の水は水蒸気となってタンク２３の内部空間を充填するので、その内部空間の空気をポンプ２４で畜舎２１等の室内へと導き、送風口２５から畜舎２１等の内部に送り込むものである。
このようにすることによって、畜舎２１等の内部で作業を行している人にとっては、体が濡れることがなく、また湿度もそれほど気にならず、作業しやすい環境が得られる。
なお、これらの実施の形態５、６では畜舎について述べたが、畜舎に限らず、一般の家屋、病院等であっても良く、言うまでもなくこれらはすべてこの発明の範疇に入るものである。
【００５４】
実施の形態７
この実施の形態は、水道管からの水を液質改良装置８によって活性化された水を用いてコンクリートを作成するものである。
すなわち、コンクリートは、セメントと砂、砂利及び水を適量混合し、それが時間と共に所定の強度で固化する。ここで発現する強度は、カルシウムシリケートによるエトリンガイト結晶体の強弱に比例すると考えられている。これは、例えば砂、砂利と言う骨材をセメントと言う接着剤（エトリンガイトという針状又は柱状の水とカルシウムシリケートの結晶体を言う。）で固結させることであるが、その接着剤の強さは、固化強度に比例する。すなわち、結晶体が太く、長い方が単位体積中の密度も高く固化強度も増大する。
【００５５】
このエトリンガイトの生成過程は、その生成時間とカルシウムの溶解度に大きく左右され、生成時間は気温と湿度に左右され、また溶解度も気温に左右される。
そして、カルシウムが水に溶解し、炭酸カルシウム分としてエトリンガイトの成分として取り込まれる過程は、添加水に二酸化炭素が溶解し、次いでカルシウムが溶解し、炭酸カルシウム化する過程である。
【００５６】
すなわち、この過程は次の化学反応式で示される。
【化２】
Ｈ２Ｏ＋ＣＯ２→Ｈ２ＣＯ３
２Ｈ２ＣＯ３＋Ｃａ（ＯＨ）２→Ｃａ（ＨＣＯ３）２＋２Ｈ２Ｏ
Ｃａ（ＨＣＯ３）２→ＣａＣＯ３＋Ｈ２ＣＯ３
このようにして生成した炭酸Ｈ２ＣＯ３が、また水を溶媒として次の新たな炭酸カルシウムＣａＣＯ３を生成する。
なお、カルシウムの溶解度は、極めて小さく固化に消費されたカルシウムを補充するようにして次々と水に少しずつ溶解していくために固化に要する時間が長く必要であると共に、その間水も必要になる。そのために、通常はコンクリートの養生期間の初期においては湿度を高めてコンクリートの内部からの水の蒸発を防止するようにしている。また、この説明でも分かるようにコンクリートの養生期間においては、二酸化炭素ＣＯ２が大きな役割をしていることが示されている。
【００５７】
この実施の形態では、この大きな役割をする二酸化炭素ＣＯ２を、この発明による液質改良装置８によって作成される活性化された水を利用して、発生させるものである。
次に、前記普通の水に替えて使用する活性化された水によるコンクリートの養生期間の化学反応について説明する。
まず、水の活性化は、水分子の固有周波数に略一致する分子振動スペクトルを有するエネルギーを発する液質改良剤１を水中に入れ、該液質改良剤によって発生したエネルギーを、共振を利用して前記水分子に付与することによって行う（上述の説明と実質同じである）。
【００５８】
すなわち
【化３】
（Ｈ３Ｏ＋）ｍ（Ｈ２Ｏ）ｎ→Ｈ＋ｍ＋（Ｈ３Ｏ）ｍ＋ｎ
によって、活性化された水が得られ、この水と、セメントと、砂と、砂利とを混合すると、この化学反応式
【化３】の中で分離した水素Ｈ＋によって
【００５９】
【化４】
４Ｈ＋＋４（Ｈ２Ｏ）２＋２ＣＯ２＋Ｏ２→２Ｈ２ＣＯ３＋４（Ｈ２Ｏ）２
の化学反応が行われる。この化学反応式
【化４】の中で活性化された水は、いきなり炭酸Ｈ２ＣＯ３を溶解する水になる。
すなわち、
【化４】における二酸化炭素が水に溶け込む工程
（Ｈ２Ｏ＋ＣＯ２→Ｈ２ＣＯ３）がなくなり、直接的に
【００６０】
【化５】
２Ｈ２ＣＯ３＋Ｃａ（ＯＨ）２→Ｃａ（ＨＣＯ３）２＋２Ｈ２Ｏ
Ｃａ（ＨＣＯ３）２→ＣａＣＯ３＋Ｈ２ＣＯ３
が行われる。その結果、固化速度が速くなり、強度も強くなる（表８乃至表１１参照）。
【００６１】
また、このコンクリートの作成に使用される水は、下記の実施の形態でも述べるが、還元力を有しているために、鉄筋等に赤錆が発生していても、それを還元力によって安定な黒錆に替えてしまうので鉄筋等を長持ちさせることが出来る。また、本願発明による活性化された水のクラスタの大きさは、通常の水の大きさに比べて１／２であるので、軽く、蒸発しやすいために、コンクリートの乾きは早く、工事日数を短縮できる。
【００６２】
実施の形態８．（赤水発生防止）
この実施の形態は、鉄製の配水管等の内壁面に発生する赤錆を、図３に示す液質改良装置８を介した水を前記鉄製の配管に通すことによって、その鉄製の配管内に発生する赤錆の発生防止するものである。
上記の如く、水は、通常多原子陽イオンＨ２Ｏ＋（オキソニウムと呼ぶ）として存在する。これは、単原子酸素陰イオンＯ２−にプロトンがついて出来たものである。
水中では、すべてのプロトンは一つの酸素から他の酸素へ急速に泳動し、水中の個々のＨ３Ｏ＋の寿命は１０−１２ｓである。多原子陽イオンＨ２Ｏ＋は、水和して（Ｈ３Ｏ＋）ｍ（Ｈ２Ｏ）ｎとなっているが、電荷移動反応によりオキソニウムイオンＨ３Ｏ＋はＨ２ＯとＨ＋に解離する。
以下にその反応を示す。
【００６３】
【化６】
Ｈ２＋Ｏ＋（Ｈ２Ｏ）ｎ→（Ｈ２Ｏ）ｎ＋１＋Ｈ＋（ｎ＝５〜６）
この実施例におけるポイントは、上記
【化６】の中の解離プロトンＨ＋が不安定で、安定化するために周囲に存在する自由電子ｅ−を吸着して中和する点に着目したものである。
すなわち、従来、上記の鉄製の配水管等の内壁面は、液質改良剤１の表皮部３によって活性化された水中に含まれる酸素イオンＯ−等によって酸化され、Ｆｅ２Ｏ２となり、赤色の錆となって固まってしまい、さらにこの赤色錆は配水管の外に向かって赤色錆を増大させる。
そこで、上記の液質改良剤１によって改質された水、すなわち、上記
【化６】に示さめされる水を、従来の水道水等に替えて前記配水管に供給することによって、配水管の中では次のような化学変化が行われる。
【００６４】
【化７】
（１）２Ｆｅ２Ｏ３＋２Ｈ＋→２ＦｅＯ・Ｆｅ２Ｏ２＋Ｈ２Ｏ
（２Ｆｅ３Ｏ４）
（２）Ｆｅ２Ｏ３＋２Ｈ＋→２ＦｅＯ＋Ｈ２Ｏ
このように、第２鉄イオンが第１鉄イオンに変化し、黒錆に替わることによって配水管等の内壁面の内部にまで進まなくなり、配水管を通る水に赤錆が混じって赤色することがなくなる。
なお、上記
【化７】は、鉄製の配水管から第２鉄イオンが水中に溶け出した状
2004209388.tif 000005
によって行われる。
【００６５】
実施の形態９
この実施の形態は、前述のようにして得られた球状の液質改良剤１を図３に示すように、両端開口の円筒４（長さＬ、内径Ｍ）内に格納して液質改良装置８を構成し、これを水道管７ａ，７ｂの途中に介装させるだけで済み、取り付けが極めて容易で、かつ構造も簡単なものである。
【００６６】
すなわち、前記液質改良剤１が水によって流されないように、円筒４の両端から液質改良剤１を多孔（前記液質改良剤１の径よりも小さい穴径を有する）の押え板６ａ，６ｂによって押え、位置固定を施し、それを中間部が切断された水道管７ａ，７ｂの上記切断部分にこの円筒４を介装したもので、その円筒４内に矢印Ａ方向から水道水を流し込み、それによって得られた上記の還元力の強い水（特開２００２−１０２８９４によって得られる活性化された水よりも還元力が強い）を、矢印Ｂ方向に流し出し、それを噴霧し、空気を取り込まなくとも、直接、河川、湖沼等に流し込むことによって、川底、湖底、沼底等に蓄積、又は発生するヘドロを解消せしめるためのシステムに関するものである。
【００６７】
なお、前記押え板６ｂと前記液質改良剤１との間に弾力性を有する不織布５を介在させ、フィルタを構成すると共に、液質改良剤１側に弾性を付与し、液質改良剤１が水中で動かないようにしている。
また前記液質改良剤１の外形形状が真球ではないので、水の流れの中に置かれ、少しでも空間があると、回転、振動等の運動を発生し、水中で液質改良剤１同士間に擦れ合い等の物理現象が発生し、お互いの表面を傷付け合うことが発生するので、前記液質改良剤１を円筒４内に層をなして配置し、その層間に不織布を介在させて、擦れ合いを解消させても良い。
【００６８】
なお、円筒４内に入れるものは、前記球状の液質改良剤１に替えて図２に示す板状の液質改良剤１０にしてもよい。この場合、板状の液質改良剤１０を複数枚重ね合わせることになるが、図６に示すように液質改良剤１０、１０間に布製のフィルタを密着して介在させることによって、流速によって液質改良剤１０が受ける外力を緩和することが出来ると共に、万が一、板状の液質改良剤１０が破損した場合にも、その破片が下流に流れ、筒体４内から外に流れ出ることを防止できる。
【００６９】
次に、上記の如く、液質改良剤１０の表皮部３の作用によって
【化８】
2004209388.tif 000006
によって還元力の強い水が得られる。
すなわち、この液質改良剤１０の表皮部３に接触した水が
【化８】に示す化学反応式に示される変化によって得られた活性水（還元力のある水）がヘドロに接触すると、ヘドロに対して次のような効能が発揮されるように作用する。
すなわち、水道水中にはトリハロメタンの前駆物質をなす天然の有機物（ヘドロ発生元物質）が微量に存在し、この前駆物質が塩素と反応してトリハロメタンを生成する。この前駆物質の代表的なものは、フミン酸やフルボ酸などの天然の腐食物質であり、水中の色度成分と呼ばれるものである。フミン酸粒子はタンパク質の回りを水の層が３重に取り囲んだものであるが、最外層の水から順次に還元性を強めて行くことによってタンパク質表面の水が薄層となり、微生物との接触が促進され、微生物により分解される。
【００７０】
したがって、フミン酸を含んだ水道水を流水状態で水液質改良剤１に接触させると、水自体の還元力の高まりによってフミン酸を取り囲む水分子の層の薄層化を図ることができ、結果としてトリハロメタンの前駆物資の除去を促進することができる。
また、一般細菌に対しては、その生存に必要なミネラル分、有機質等の栄養分を還元力により低減するとともに、水の還元電位の低減（７００ｍＶから３３０ｍＶに低減）により気体中の酸素の溶解度を高め、スーパーオキシド（Ｏ２−）、ペルオキシド（Ｏ２２−）、及びヒドロキシラジカル（ＯＨ−）の毒素により、殺菌作用を及ぼすことができる。
【００７１】
これによる効果によって、井戸水を原水として、本発明による液質改良剤１によって活性化した水を下水に流し込んだときの水質は、（表１２）に示した水質検査成績書に示す成分を含む下水の水が、（表１３）に示した水質検査成績書に示す成分を含む下水の水に変化した。
【００７２】
次に、このように構成された液質改良装置８に格納された液質改良剤１が長い期間使用されると、水道管に流れる水に混入されてくる微細なゴミ等の不純物がゴミ垢となって液質改良剤１の表面に付着し、そのごみ等の不純物によって液質改良剤１の表面を覆ってしまい、活性化される前の水の分子が液質改良剤１の表面に直接接することが出来なくなり、水を活性化することが出来ず、そのために水の水和を解除する力が低下し、還元力が弱くなる。
【００７３】
これを解決するためには、微小な大きさの気泡を前記液質改良剤１に対して上流側から常時、微量供給してやればよい。そのための一例として、前記液質改良剤１に対して上流側の水道管７ａの中に強制的に酸素ボンベ（不図示）から注射針等の細管を介して供給する方法がある。
しかしながら、図７に示すように前記液質改良剤１に対して上流側の水道管７ａの途中に、水の流れを急激に絞り、急激にその絞りを解除する構造のくびれ部２０を設け、このくびれ部２０の中間部に細管２１を取り付けると共に、その細管２１の取付け部２１ａに負圧発生機構（一般的であるので図が割愛する）を設け、その取付け部２１ａで発生した負圧を利用して細管２１を介して外部から空気を前記水道管７ａの中に導入しても良い。
このようにして、前記水道管７ａの中に導入された空気、すなわち酸素Ｏ２は、急に前記細管２１から太い前記水道管７ａの中に取り込まれることによって微少な気泡になって前記液質改良剤１に向けて流れて行く。
【００７４】
このように水の中に拡散された微細な泡は、液質改良剤１の表面に達すると、その微細な泡は、液質改良剤１の表面に付着した微細なゴミ等の混入物に付き、泡の浮力によって、液質改良剤１の表面から、付着した微細なゴミ等の混入物を剥離する。この剥離されたゴミ垢等は、液質改良装置８の下流側に配置されたフィルタ６に付着することになる。
【００７５】
実施の形態１０
この実施の形態は、図８に示すように、水道管のおおもと、すなわち大型店舗９に入る直前に、液質改良剤１が充填された液質改良装置８を介装して、この液質改良装置８から送出される水を、スーパー等の大型店舗９に全量供給することによってその店舗９からの排水の水質を改善するものである。
すなわち、これは図８に示すように、従来から設置してある水道管７ａ，７ｂの  うち、屋外に出ているおおもとの部分に液質改良装置８を取り付け、この液質改良装置８で水質の改良された水を大型店舗９に導入する。
【００７６】
この大型店舗９内では前記おおもとの水道管７ｂから複数の配管１０ａ〜１０ｃに分岐され、それぞれの配管１０ａ〜１０ｃ毎に取り付けられているバルブ１１ａ〜１１ｃによって吐出が制御される。そして、これらの配管１０ａ〜１０ｃから水が吐出され、建物９内で使用されて排水となった水は、排水管１２ａ〜１２ｃで汚水処理槽１３の第１槽１３ａ、第２槽１３ｂに順番に集められ、排水管１４から下水道、河川等の排水路１５に排出される。（なお、図中の中の矢印は、水の流れ方向を示している）
【００７７】
その結果、一般排水では液質改良装置８を取り付けた時の成分量（表１４参照）が、１、５ヶ月後には表１５に示すような成分量にまで改善される。
また、厨房排水でも、液質改良装置８を取り付けた時の成分量（表１６参照）が、１、５ヶ月後には表１７に示すような成分量にまで改善されている。
【００７８】
すなわち、これは大型店舗９内で使用される水が本発明にかかる水質改良された水であるために、その水の還元力によって配管１０ａ〜１０ｃ、排水管１２ａ〜１２ｃ、汚水処理槽１３及び排水管１４の内壁面に付着していたスケール除去を果たすことができる。
【００７９】
なお、この大型店舗９内への水道管７ａ，７ｂに直列に取り付けられた液質改良装置８において、液質改良剤１の表皮部３からは、遠赤外線の波長領域において最大の分子振動スペクトルを発し、水道管７ａから給水された水の分子及びオキソニウムは、液質改良剤１を構成する親水性の岩石の結晶において励起する内部振動の振動エネルギーを、共鳴現象により伝達し、その後に起こる励起状態から基底状態への遷移及び分解により派生する水和電子によって、還元力の強い水質の水を造る。
【００８０】
ここで、水道水中では、微量存在するトリハロメタンの前駆物質である天然の有機物が、塩素と反応してトリハロメタンを生成する。この前駆物質の代表的なものは、フミン酸やフルボ酸などの天然の腐食物質であり、水中の色度成分と呼ばれるものである。フミン酸粒子はタンパク質の回りを水の層が３重に取り囲んだものであるが、最外層の水から順次に還元性を強めて行くことによってタンパク質表面の水が薄層となり、微生物との接触が促進され、微生物により分解される。
【００８１】
したがって、フミン酸を含んだ水道水を流水状態で液質改良剤１に接触させると、水分子自体の還元力の高まりによってフミン酸粒子等の腐食物質を構成する外側の水分子の層の薄層化が図られ、結果としてトリハロメタンの発生を防止できる。
【００８２】
また、一般細菌に対しては、その生存に必要なミネラル分、有機質等の栄養分を還元力により低減すると共に、水の酸化還元電位の低減により気体中の酸素の溶解度を高め、酸素分子が還元されて水分子を生成するまでに発生する中間体の毒性により、殺菌作用を及ぼすことができる。
【００８３】
すなわち、中間体のスーパーオキシド（Ｏ２−）、ペルオキシド（Ｏ２２−）、及びヒドロキシラジカル（ＯＨ−）は毒性があり、特にＯＨやＯ２−の酸化能力は強く、生体内ではＯ２−はＳＯＤによって、過酸化水素に還元され、更に過酸化水素はカタラーゼ（過酸化水素を水と酸素に分解するための触媒の働きをするヘムタンパク質酵素）によって水と酸素に分解される。
しかし、通性嫌気性細菌や絶対嫌気性細菌の中の大半はカタラーゼを持たないので、中間体の毒性を無毒化することができない。したがって、一般細菌に対しては、水の酸化還元電位の低減によって気体中の酸素の溶解度を高め、酸素分子が還元されて水分子を生成するまでに発生する中間体の毒性により、殺菌作用を及ぼすことができる。
【００８４】
実施の形態１１．
この実施の形態は、図９に示すように、男子用小便器３０に接続された水道管のおおもとに、液質改良剤１が充填された液質改良装置８を介装して、この液質改良装置８からの水をこの小便器３０に流し、小便器３０の表面に付着する尿石を自然解消させるものである。尿の成分は大きく分けて、尿素、Ｎａ＋、Ｋ＋、ＣＬ＋、クレアチン、尿酸が代表的なものである。その他に放出された尿を放置したときに沈殿、混濁として析出する成分としてリン酸塩や、膀胱、尿道上皮から分泌される粘液の凝固体があり、尿石はこれらの混合析出物である。
【００８５】
従来、小便器にこの尿石が付着しないように排尿した後にすぐに水を流すことが出来る設備を設置したり、または掃除人を雇って定期的にこの小便器の清掃を行っていた。
しかしながら、この清掃の時に酸性薬剤を使用するのが通例で、小便器３０の隅々まで、特に小便器３０の排出口３０ａの直前の管内（小便器３０の最下部の管の内側）３０ｂまでもなかなか清掃されないものである。この場合には、小便器３０に付着した尿成分が酸化し、増大した腐敗菌による腐敗が進むと、尿石の生成も促進され、悪臭物質への分解も促進される。
【００８６】
なお、液質改良剤１が充填された液質改良装置８から小便器３０への通水の制御は、図９に示すように、水道管７ｃの途中に介装された、通水時間制御回路３１によって制御された通水制御弁３２によって、例えば一時間等の一定時間ごとに開弁制御が行われ、小便器３０に活性化された水が自動的に供給される。例えば、厚さ１ｍｍ程度の尿石の膜によって小便器３０の６割程度が覆われていても、この液質改良装置８から１．５ヶ月の間、所定時間ごとに通水し続けることによって尿石が完全に前記小便器３０から剥がれ落ち、臭気は数日後には半減した。
【００８７】
すなわち、小便器３０に活性化された水が、供給されることによって活性化された水の有する殺菌力によって小便器３０に付着した腐敗菌を低減させて、尿石の発生を抑制すると共に、尿石を構成するアンモニア、炭酸カルシウム、塩分が液質改良装置８からの活性化された水に溶解してなくなる。
なお、炭酸カルシウムは水に難溶性であるが、活性化された水により炭化水素カルシウムに変わることによって水溶性になる。
【００８８】
このような簡単な設備を設置するだけで小便器３０をいつもきれいに維持させることが可能になり、水、人件費を大幅に削減することが出来ると共に、臭気の発生も押さえられ、芳香剤の購入費用も削減できるという効果が発揮される。なお、図中、符号Ｈで示される部分は、図７で示した部分と同一であるので、その詳細説明は省略する。
【００８９】
実施の形態１２．
この実施の形態は、上記の実施の形態において説明した液質改良剤装置８によって改質された水の還元力を人間の体に作用させて、皮膚病等の治療に使用するものである。また患者に飲ませ、かつ汗をどんどんかかせることによって還元力があり、かつ電位が低くなり、細胞に取り入れ易くなった水と、体内の汚れた水（クラスターの大きな水分子）とを入れ替えることによって血液状態を改善させものである。この方法は、薬品を使用せずに行うことが出来るので、安全な方法である。
【００９０】
次に、治療を行うシステムについての図１０及び図１１に基づいて説明を行う。
まず、患者が病院にきて、受付し、登録をすると、それがコンピュータシステムのマイクロコンピュータ４１の入力装置４０によって入力され（ステップ１００）、コンピュータシステムのメモリ４２から前回の診察時に指先から採血された血液の画像がマイクロコンピュータ４１によって読み取られて、医師の専用表示器４３に表示される（ステップ１１０）。そこで、医師は今回分の血液を患者の指先から採血し、それを入力装置４０からマイクロコンピュータ２１に入力し、専用表示器４３に前回分と共に、並べて表示させる（ステップ１２０）。そして、患者に対して、前回と今回との違いを説明し、医師が入力装置４０を操作することによってその診断結果と、今回分の血液画像データをマイクロコンピュータ４１を介してメモリ４２に記憶させる（ステップ１３０）。
【００９１】
その後、医師は、この患者が、心臓病の人であると判断した場合（ステップ１４０）には、ステップ１５０に進み、患者に遠赤外線風呂に入らせ、上記液質改良剤装置８を通った水を飲ませ、汗をかかせる。
また、普通の人であると判断した場合（ステップ１６０）には、ステップ１７０に進み、患者に遠赤外線サウナ風呂に入らせ、上記液質改良剤装置８を通った水を飲ませ、汗をかかせる。
また、気管支喘息のある人であると判断した場合（ステップ１８０）には、ステップ１９０に進み、前記液質改良剤装置８を通り、活性化された水をミスト化して室内に充満させ、かつ室温が前記遠赤外線サウナ風呂（普通の人が入る風呂）よりも低い温度に設定された遠赤外線サウナ風呂に入らせ、上記液質改良剤装置８を通った水を飲ませ、汗をかかせる。
【００９２】
その後、ステップ２００に進み、患者から採血し、ステップ２１０に進み、その血液を入力装置４０からマイクロコンピュータ４１に入力し、その血液状態をステップ１２０で行った採血画像と今回の治療前の血液画像とを並べて専用表示機４３に表示させ、医師が比較して、どれだけ血液が改善されたかを患者に説明する。
また、患者はステップ１５０、ステップ１７０又はステップ１９０の何れかで皮膚か殺菌され、また血液が改善されると共に、かゆみ等の自覚症状は改善されるので、治療が終了し、次のステップ２２０で医師が入力装置４０を操作することによって今回の最新血液画像をメモリ４２に記憶させてステップ２３０に進み、終了する。
【００９３】
このように遠赤外線の風呂に入り、体の芯から温度を上げて汗を出させると共に、それによって欠乏した水分を、活性化された水を多量に飲むことによって補い、体の中の細胞の水を入れ替えるということを積極的に行うことによって、体がリフレッシュされる。そして、医師によってこれを行う前と後の血液を採血して貰い、その双方の血液の画像を医師の説明の元に確認することによって、患者は楽しみながら自分の体の状態を直接知ることが出来、体の自己管理が容易になる。
【００９４】
実施の形態１３．
この実施の形態を図１２に基づいて以下に説明する。
５０は前記球状の液質改良剤１と同等の液質改良剤で、粒状の塩５１、活性炭５２、球状の液質改良剤１、非強磁性の断面円形状をしたステンレス製ケース５３とから構成され、このステンレス製ケース５３内には、粒状塩５１、活性炭５２及び液質改良剤１が均一に配置されると共に、これらはステンレス製ケース５３内に水密的に封止されている。
なお、前記活性炭５２は前記塩５１に含まれる水分を吸収させるために、植物から作られた活性炭で、前記塩５１と均一な混合物になるように混ぜられ、前記均一配置された液質改良剤１間の隙間に充填されている。
また、前記塩５１は、海水から作られたもので、その塩５１から発せられる遠赤外線の周波数は、人間等の動物の血液に含まれる塩分の吸収する遠赤外線の周波数と同一であるために、必ず共鳴するので、この塩５１の発生する遠赤外線は、効率よく、体内にエネルギーを供給することができる。
【００９５】
なお、この実施の形態ではケース５３の材料としてステンレスを用いているが、ガラスであってよい。また、これらのケース素材は、非強磁性のもので、かつケース内に収納する還元されずらいものなら何でも良い。すなわち、液質改良剤１と塩５１と活性炭５２を一塊と考えた場合、その周囲に酸化されやすいものがあると、この液質改良剤１と塩５１とから発生させられるエネルギーは、常にその酸化物を還元するために使用されてしまい、本来有効なエネルギーを与えたい人間等の動物にまで到達しないことになってします。
【００９６】
この実施の形態におけるケースの形状としては、図１３に６面図で示す球状のものであってもよい。
また、図１４に６面図で示す円盤状のものであってもよい。
またさらには、図１５に６面図で示す円柱状のものであってもよい。
【００９７】
【発明の効果】
この発明によれば、液体分子の固有周波数に略一致する分子振動スペクトルを有するエネルギーを発生する塊体を焼成した後に、焼成に伴ってガス化する不純物を含み、前記塊体と異なる成分からなる釉薬を前記塊体に塗布して表皮層を形成した後に前記塊体の焼成温度よりも高い温度で焼成されてなる液質改良剤に関し、性能が向上した液質改良剤を得ることにある。
【００９８】
また、塊体と、該塊体と異なる成分からなると共に、焼成に伴ってガス化する不純物を含み、その塊体の表面に塗布される釉薬からなる表皮層とを備え、前記塊体及び表皮層は、同時に焼成されてなると共に、前記表皮層は、液質を改質する液体分子の固有周波数に共振する周波数のエネルギーを発生する液質改良剤に関し、易く、性能の良い液質改良剤を得ることにある。
【００９９】
なお、前記塊体は、海水の成分が含まれていることによって、さらに液質改良剤の性能を向上させることが出来る。
【０１００】
また、前記表皮層は、ミネラル成分及び遠赤外発生剤を少なくとも含み、表面が多孔性に焼成形成されていることによって、さらに液質改良剤の性能を向上できる。
【０１０１】
また、塊体の表面に、該塊体と異なる成分からなり、かつ焼成に伴ってガス化する不純物を含み、焼成されてなる釉薬の表皮層から液体分子の固有周波数に略一致する分子振動スペクトルを有するエネルギーを発生する液質改善剤に接することによって改質される液体に関し、液体の還元性を高くすることが出来る。
【０１０２】
また、水分子の固有周波数に略一致する分子振動スペクトルを有するエネルギーを液質改善剤によって発生せしめ、その発生したエネルギーを前記水分子に付与し、それに伴って発生する水の還元力によって水中に含まれる水和物質を構成する最外側の水の層から還元し、該水和物質を構成する蛋白質を微生物によって分解する水の改質方法に関し、排水等に含まれる蛋白質等の水和物質を労率良く解消できる。
【０１０３】
また、通過する水の分子の持つ固有の分子振動スペクトルに一致する周波数のエネルギーを発生するセラミック製の第１焼成体と、該第１焼成体から発せられるエネルギーを補助するエネルギーを発生し、表面が多孔性に焼成された第２焼成体とを含む液質改良剤本体が、通過する水の通路を塞ぐように筒状体に収納され、かつ給液ライン中に介装されてなり、前記液質改良剤本体を通過した水を給水する水環境状態変換装置に関し、還元力の強い水を容易に得られる装置を得ることが出来る。
【０１０４】
また、水分子の固有周波数に略一致する分子振動スペクトルを有するエネルギーを液質改善剤によって発生せしめ、その発生したエネルギーを前記水分子に付与し、２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生した炭酸を含む水に関し、簡単に炭酸の入った水を得られる。
【０１０５】
また、水分子の固有周波数に略一致する分子振動スペクトルを有するエネルギーを液質改善剤によって発生せしめ、その発生したエネルギーを前記水分子に付与し、２つの化学反応式
（Ｈ３Ｏ＋）ｍ（Ｈ２Ｏ）ｎ→Ｈ＋ｍ＋（Ｈ３Ｏ）ｍ＋ｎ
４Ｈ＋＋４（Ｈ２Ｏ）２＋２ＣＯ２＋Ｏ２→２Ｈ２ＣＯ３＋４（Ｈ２Ｏ）２によって発生した炭酸を含む水で、少なくともセメント、砂を練り合わせて作られてなるコンクリートに関し、短時間、かつ高度の強いコンクリートを容易に得ることが出来る。
【０１０６】
また、前記水の分子の持つ固有の分子振動スペクトルに一致する周波数のエネルギーを発生する塊体と、該塊体から発せられるエネルギーを補助するエネルギーを発生する液質改良剤が、筒状体に収納され、かつその筒状体が給液ライン中に介装されてなり、この筒状体の中を通過した水を小便器に流し込むことによって小便器への尿石の付着を低減する小便器清掃装置に関し、小便器の清掃を低減できるとと共に、悪臭も低減することが出来る。
【０１０７】
また、水の分子の持つ固有の分子振動スペクトルに一致する周波数のエネルギーを発生する塊体と、該塊体から発せられるエネルギーを補助するエネルギーを発生し、表面が多孔性に焼成された釉薬からなる表皮層とを含む液質改良剤本体が、筒状体に収納され、かつその筒状体が給液ライン中に直列に介装されてなり、この筒状体の前記液質改良剤本体の表面に前記水が接触するように水を通過し、この通過した水を還元剤として使用するヘドロを含む水環境に流し込む水環境状態変換装置に関し、排水路に溜まりやすいヘドロを容易に解消できる。
【０１０８】
また、分子の持つ固有の分子振動スペクトルに一致する周波数のエネルギーを発生する塊体と、該塊体から発せられるエネルギーを補助するエネルギーを発生し、表面が多孔性に焼成された釉薬からなる表皮層とを含む液質改良剤本体が、筒状体に収納され、かつその筒状体が給液ライン中に直列的な介装されてなり、前記液質改良剤本体を通過した水を大気中に拡散蒸発せしめる空気環境状態変換装置に関し、大気中の臭いを容易に取ることが出来る。
【０１０９】
なお、前記水は、建築物内部の大気中に自然に拡散蒸発せしめられることによって、装置を必要とせずに簡単に大気中の臭いを容易に取ることが出来る。
【０１１０】
また前記水は、建築物内部の大気中にミスト発生器によって強制拡散せしめられることによって、短時間に広い範囲の空気の臭いを取ることが出来る。
【０１１１】
また前記水は、前記表皮層からエネルギーの供給を受けて反応式
2004209388.tif 000007
によって、水和電子を発生し、還元力が付与されるので、還元力も強くなる。
【０１１２】
【図面の簡単な説明】
【図１】本発明による球状の液質改良剤１の断面説明図である。
【図２】図１に示した球状の液質改良剤１と異なる円盤状の液質改良剤１の斜視説明図（Ａ図）、またその断面説明図（Ｂ図）である。
【図３】図１に示した液質改良剤１を水道管７ａ，７ｂに介装させたときの接続状態説明図である。
【図４】図３に示した液質改良剤１を介した水の利用例で、畜舎２１内を天井側から噴霧する実施の形態を説明する図である。
【図５】図３に示した液質改良剤１を介した水の利用例で、この水の水蒸気を多く含む空気を畜舎２１内に送り込む例の実施の形態を説明する図である。
【図６】図３に示した球状の液質改良剤１を図２に示す円盤状の液質改良剤１０に替えた例を示す実施の形態の説明図である。
【図７】図３及び図６に示した液質改良剤１、１０に付着する水垢を落とすために気泡を水中に発生させるための実施の形態の説明図である。
【図８】図３に示した液質改良剤１によって作られた水を店舗９内に導入した例を示す実施の形態の説明図である。
【図９】図７に示した液質改良剤１によって作られた水を男性用便器３０に付着する尿石除去に導入した例を示す実施の形態の説明図である。
【図１０】図３に示した液質改良剤装置８から得られる水を体に作用させる前とさせた後の血液の状態を医師が患者に説明するときの用いる画像表示システムの回路ブロック説明図である。
【図１１】図３に示した液質改良剤装置８から得られる水を医療に使用したときの治療の手順を示したフローチャート説明図である。
【図１２】液質改良剤１等をステンレス等のケース内に水密的に封止した実施の形態  を示す断面説明図である。
【図１３】図１２に示したケース形状を球状にした実施の形態の６面図である。
【図１４】図１２に示したケース形状を円盤状にした実施の形態の６面図である。
【図１５】図１２に示したケース形状を円筒状にした実施の形態の６面図である。
【符号の説明】
１、１０  水液質改良剤
２  核部
３  表皮部
４  円筒
５ａ，５ｂ  セラミック円板
５ａａ  貫通孔
７ａ、７ｂ  水道管
８  液質改良剤装置
2004209388.tif 000008
2004209388.tif 000009
2004209388.tif 000010
2004209388.tif 000011
2004209388.tif 000012
2004209388.tif 000013
2004209388.tif 000014
2004209388.tif 000015
2004209388.tif 000016
2004209388.tif 000017
2004209388.tif 000018
2004209388.tif 000019
【図１】
2004209388.tif 000023
【図７】
2004209388.tif 000024
【図２】
2004209388.tif 000025
【図６】
2004209388.tif 000026
【図３】
2004209388.tif 000027
【図８】
2004209388.tif 000028
【図４】
2004209388.tif 000029
【図５】
2004209388.tif 000030
【図９】
2004209388.tif 000031
【図１０】
2004209388.tif 000032
【図１２】
2004209388.tif 000033
【図１１】
2004209388.tif 000034
【図１３】
2004209388.tif 000035
【図１４】
2004209388.tif 000036
【図１５】
2004209388.tif 000037